(57)【要約】【課題】モダリティ装置が取得した医用画像データを基にして作成した医用画像データを、後の診察時等に容易且つ迅速に再現することができる医用画像データ管理システム及び医用診断装置を提供すること。【解決手段】医用画像データ管理システムであって、上記第１の医用画像データに基づいて第２の医用画像データを作成し、且つ該第２の医用画像データの特定及び再作成を行う為の情報であるプリント情報を作成する処理装置と、上記プリント情報、及び上記第１の医用画像データを登録するデータベース装置と、を具備し、上記処理装置は、所望の第２の医用画像データを、上記データベース装置の上記プリント情報及び上記第１の医用画像データを参照することで再作成を行う。【選択図】      図１
2007215675.tif 000002
【特許請求の範囲】
【請求項１】
医用画像データ管理システムであって、
第１の医用画像データに基づいて第２の医用画像データと該第２の医用画像データの特定及び再作成を行う為の情報であるプリント情報とを作成する処理装置と、
上記プリント情報及び上記第１の医用画像データを登録するデータベース装置と、
を具備し、
上記処理装置は、所望の第２の医用画像データを、上記データベース装置の上記プリント情報及び上記第1の医用画像データを参照することで再作成することを特徴とする医用画像データ管理システム。
【請求項２】
医用画像データ管理システムであって、
第１の医用画像データに基づいて第２の医用画像データと該第２の医用画像データの特定及び再作成を行う為の情報であるプリント情報とを作成する処理装置と、
上記プリント情報及び上記第２の医用画像データを登録するデータベース装置と、
を具備し、
上記処理装置は、上記データベース装置の上記プリント情報を参照して、上記データベース装置に登録された第２の医用画像データの中から、所望の第２の医用画像データを検索することを特徴とする医用画像データ管理システム。
【請求項３】
上記第２の医用画像データは、上記第１の医用画像データに対して所定の画像処理を施すことで作成されることを特徴とする請求項１または請求項２に記載の医用画像データ管理システム。
【請求項４】
上記医用画像データ管理システムは、プリンタ装置を含み、
上記第２の医用画像データ及び上記所望の第２の医用画像データは、上記プリンタ装置により印刷されることを特徴とする請求項１または請求項２に記載の医用画像データ管理システム。
【請求項５】
上記医用画像データ管理システムは、フィルミング装置を含み、
上記第２の医用画像データ及び上記所望の第２の医用画像データは、上記フィルミング装置によりフィルミングされることを特徴とする請求項１に記載の医用画像データ管理システム。
【請求項６】
上記プリント情報は、少なくとも、患者名及び患者特定の為の情報を含む患者情報と、上記患者の検査日と、上記所望の第２の医用画像データの特定及び再作成を行う為の情報と、を有することを特徴とする請求項１に記載の医用画像データ管理システム。
【請求項７】
上記第２の医用画像データは、上記第１の医用画像データを複数レイアウトすることで構成され、
上記第２の医用画像データの特定及び再作成を行う為の情報は、少なくとも、上記第２の医用画像データにおける画像レイアウト情報を含むことを特徴とする請求項６に記載の医用画像データ管理システム。
【請求項８】
被検体を撮影し第１の医用画像データを取得する撮影手段と、
この撮影手段で取得した第１の医用画像データに基づいて、第２の医用画像データと該第２の医用画像データの特定及び再作成を行う為の情報であるプリント情報とを作成する処理部と、
上記プリント情報及び上記第１の医用画像データを登録するデータベース部と、
を具備し、
上記処理部は、所望の第２の医用画像データを、上記データベース部の上記プリント情報及び上記第1の医用画像データを参照することで再作成することを特徴とする医用診断装置。
【請求項９】
被検体を撮影し第１の医用画像データを取得する撮影手段と、
この撮影手段で取得した第１の医用画像データに基づいて第２の医用画像データと該第２の医用画像データの特定及び再作成を行う為の情報であるプリント情報とを作成する処理部と、
上記プリント情報及び上記第２の医用画像データを登録するデータベース部と、
を具備し、
上記処理部は、上記データベース部の上記プリント情報を参照して、上記データベース部に登録された第２の医用画像データの中から、所望の第２の医用画像データを検索することを特徴とする医用診断装置。
【発明の詳細な説明】
【技術分野】
【０００１】
本発明は、医用画像データ管理システム及び医用診断装置に関する。
【背景技術】
【０００２】
一般的に、例えばＸ線ＣＴ装置やＭＲＩ装置などの医用診断装置（以下、モダリティ装置とも称する）に関しては、取得した医用画像データをそのままプリントアウト（例えばフィルムに出力するフィルミングやその他の形態の印刷等）するのではなく、その取得した医用画像データの中から、フィルミング等する所望の医用画像データを選択し、更に画像処理を施した後にフィルミング等を行っている。
【０００３】
そして、フィルミング等を行った後、フィルミング等を行った医用画像データにマーキングを施して、ＰＡＣＳ（Ｐｉｃｔｕｒｅ  Ａｒｃｈｉｖｉｎｇ  Ｃｏｍｍｕｎｉｃａｔｉｏｎ  Ｓｙｓｔｅｍ）等のサーバへ、保存を目的として転送している。
【０００４】
ところで、医用画像データの利便性向上を図るための技術として、例えば特許文献１に以下のような技術が開示されている。すなわち、特許文献１に記載の技術は、Ｘ線画像データの表示に関し、表示されるまでの待ち時間に起因する不快感を解消する為にプレビュー画像を利用し、プレビュー画像表示後に正式なＸ線画像データをメモリから転送することで、Ｘ線画像データを表示させる構成としている。
【０００５】
上記特許文献１に記載の技術によれば、例えばＸ線画像データ等の医用画像データ撮影時の、画像表示に関する利便性を向上させることは出来る。
【特許文献１】特開２００４−２６７６０１号公報
【発明の開示】
【発明が解決しようとする課題】
【０００６】
しかしながら、医用画像データの特徴点、すなわち医用画像データは撮影時の一度きりではなくその後の診察時にも参照される点を鑑みると、撮影時の利便性より、むしろその後の診察時における利便性の追求をするべきであるとも言える。そして、上記特許文献１に記載の技術では、この点に関しては一切考慮されていない。
【０００７】
ところで、最近のＸ線ＣＴ装置においては、一検査に数百枚乃至数千枚の医用画像データが生成される。その為、フィルミング等を行った後に、フィルミング等を行った医用画像データにマーキングを施して、ＰＡＣＳ等のサーバへ保存を目的として転送しても、診察する度に上記マーキングに基づいて、フィルミング等を行った医用画像データを選別しなければならず、この作業は困難且つ非効率であると言える。さらに、そのようにしてフィルミング等を行った医用画像データを選別した後も、撮影時にフィルムに出力したレイアウト等を再現しなければ、撮影時にユーザーが観察した医用画像データと同一の医用画像データとはならない。
【０００８】
そして、例えば撮影当初の医用画像データを保存している病院から、遠隔地の病院へ当該医用画像データを送信しなければならない場合には、上記の諸作業もより困難さを増す。
【０００９】
本発明は、上記の事情に鑑みてなされたもので、モダリティ装置が取得した医用画像データを基にして作成された医用画像データを、後の診察時等に容易且つ迅速に再現することができる医用画像データ管理システム及び医用診断装置を提供することを目的とする。
【課題を解決するための手段】
【００１０】
上記の目的を達成するために、請求項１に記載の本発明による医用画像データ管理システムは、第１の医用画像データに基づいて第２の医用画像データと、該第２の医用画像データの特定及び再作成を行う為の情報であるプリント情報とを作成する処理装置と、上記プリント情報及び上記第１の医用画像データを登録するデータベース装置と、を具備し、上記処理装置は、所望の第２の医用画像データを、上記データベース装置の上記プリント情報及び上記第1の医用画像データを参照することで再作成することを特徴とする。
【００１１】
上記の目的を達成するために、請求項２に記載の本発明による医用画像データ管理システムは、第１の医用画像データに基づいて第２の医用画像データと該第２の医用画像データの特定及び再作成を行う為の情報であるプリント情報とを作成する処理装置と、上記プリント情報及び上記第２の医用画像データを登録するデータベース装置と、を具備し、上記処理装置は、上記データベース装置の上記プリント情報を参照して、上記データベース装置に登録された第２の医用画像データの中から、所望の第２の医用画像データを検索することを特徴とする。
【００１２】
上記の目的を達成するために、請求項８に記載の本発明による医用診断装置は、被検体を撮影し第１の医用画像データを取得する撮影手段と、この撮影手段で取得した第１の医用画像データに基づいて、第２の医用画像データと該第２の医用画像データの特定及び再作成を行う為の情報であるプリント情報とを作成する処理部と、上記プリント情報及び上記第１の医用画像データを登録するデータベース部と、を具備し、上記処理部は、所望の第２の医用画像データを、上記データベース部の上記プリント情報及び上記第1の医用画像データを参照することで再作成することを特徴とする。
【００１３】
上記の目的を達成するために、請求項９に記載の本発明による医用診断装置は、被検体を撮影し第１の医用画像データを取得する撮影手段と、この撮影手段で取得した第１の医用画像データに基づいて第２の医用画像データと該第２の医用画像データの特定及び再作成を行う為の情報であるプリント情報とを作成する処理部と、上記プリント情報及び上記第２の医用画像データを登録するデータベース部と、を具備し、上記処理部は、上記データベース部の上記プリント情報を参照して、上記データベース部に登録された第２の医用画像データの中から、所望の第２の医用画像データを検索することを特徴とする。
【発明の効果】
【００１４】
本発明によれば、モダリティ装置が取得した医用画像データを基にして作成した医用画像データを、後の診察時等に容易且つ迅速に再現することができる医用画像データ管理システム及び医用診断装置を提供することができる。
【発明を実施するための最良の形態】
【００１５】
以下、図面を参照して、本発明の医用画像データ管理システム及び医用診断装置の一実施形態を説明する。  
図１は、本実施形態に係る医用画像データ管理システムの構成概念図を示している。同図に示すように、本実施形態に係る医用画像データ管理システムは、モダリティ装置の一例であるＸ線ＣＴ装置２、プリンタ装置４、及びサーバ装置６を具備する。なお、上記サーバ装置６は、画像データベース（ＤＢ）６ａ、プリント情報登録データベース（ＤＢ）６ｂ、及びプリント要求処理部６ｃを有する。以下、当該医用画像データ管理システムにおける各構成装置間の信号の流れに沿って、当該医用画像データ管理システムの構成を説明する。
【００１６】
まず、上記Ｘ線ＣＴ装置２は、被検体を撮影し、これによって取得した医用画像データ（第１の医用画像データ）に画像処理を施して第２の医用画像データと、この第２の医用画像データの特定及び再作成を行う為のプリント情報（詳しくは後述）とを作成する。第２の医用画像データを作成するための画像処理としては、例えば第１の画像データの輝度情報の変更する処理や、複数の第１の医用画像データを所定のレイアウトで配置して１つの医用画像データを作成する処理等がある。
【００１７】
この後、医師等によって第２の医用画像データのプリント指示がなされると、上記Ｘ線ＣＴ装置２は、上記第１の医用画像データ、上記第２の医用画像データ、及び上記プリント情報と共に上記プリンタ装置４にプリント実行を要求するためのプリント要求を、ＤＩＣＯＭ（Ｄｉｇｉｔａｌ  Ｉｍａｇｉｎｇ＆Ｃｏｍｍｕｎｉｃａｔｉｏｎ  ｉｎ  Ｍｅｄｉｃｉｎｅ  ；広く普及している医用画像伝送のための標準的なプロトコル）等の方式にて上記プリント要求処理部６ｃに送信する（同図ａ；プリント要求）。
【００１８】
つづいて、上記プリント要求を受信した上記プリント要求処理部６ｃは、上記第２の医用画像データと上記プリント要求とを、上記プリンタ装置４に転送する（同図ｂ；プリント要求（転送））。これによって、上記プリンタ装置４において上記第２の医用画像データのプリントが実行される。なお、ここでの用語「プリント」は第２の医用画像データをフィルムに出力するフィルミングを含むものとする。
【００１９】
また、同時に、上記プリント要求処理部６ｃは、上記プリント情報を、上記プリント情報登録データベース６ｂに登録する（同図ｃ；プリント要求の登録）。さらに、上記プリント要求処理部６ｃは、上記第１の医用画像データを、例えばＲＧＢやＢｉｔｍａｐ等の上記画像データベース６ａに適合したデータへ変換した後、上記画像データベース６ａに登録する（同図ｄ；プリントイメージの登録）。
【００２０】
なお、上記プリントイメージの登録においては、上記第１の医用画像データに加えて、上記第２の医用画像データを、上記画像データベース６ａに登録しても勿論よい。
【００２１】
また、上記第２の医用画像データ及び上記プリント情報の作成を、上記Ｘ線ＣＴ装置２にではなく、上記プリント要求処理部６ｃに行わせてもよい。その場合には、以下のようになる。
【００２２】
すなわち、上記Ｘ線ＣＴ装置２は、取得した医用画像データ（第１の医用画像データ）を、ＤＩＣＯＭ（Ｄｉｇｉｔａｌ  Ｉｍａｇｉｎｇ＆Ｃｏｍｍｕｎｉｃａｔｉｏｎ  ｉｎ  Ｍｅｄｉｃｉｎｅ  ；広く普及している医用画像伝送のための標準的なプロトコル）等の方式にて上記プリント要求処理部６ｃに送信する（ａ；プリント要求）。
【００２３】
つづいて、上記プリント要求処理部６ｃは、上記第１の医用画像データを基にして画像処理により、第２の医用画像データ及びプリント情報を作成し、上記第２の医用画像データを、上記プリンタ装置４へ転送する（ｂ；プリント要求（転送））。その後、上記プリント要求処理部６ｃは、上記プリント情報（詳しくは後述）を、上記プリント情報登録データベースに登録する（ｃ；プリント要求の登録）。また、上記第２の医用画像データを、例えばＲＧＢやＢｉｔｍａｐ等の上記画像データベース６ａに適合したデータへ変換した後、上記画像データベース６ａに登録する（ｄ；プリントイメージの登録）。
【００２４】
なお、本実施形態では、上記第２の医用画像データ及び上記プリント情報の作成を、上記Ｘ線ＣＴ装置２に行わせる場合を例として以降説明する。
【００２５】
図２（ａ），（ｂ）は、本実施形態に係る医用画像データ管理システムの機能ブロック図である。なお、同図（ａ）に示すプリント情報受信部６ｃ１、プリント情報転送部６ｃ２、プリント情報登録部６ｃ３と、同図（ｂ）に示すプリント情報検索部６ｃ４、及びプリントイメージ作成部６ｃ５は、何れも上記サーバ装置６内に設けられた上記プリント要求処理部６ｃの構成要素である。また、同図（ａ），（ｂ）に示す機能ブロック図は、本実施形態に係る医用画像データ管理システムを実現するのに最低限必要な機能を表すブロック図である。
【００２６】
まず、図２（ａ）は、上記プリント情報を上記プリント情報登録データベース６ｂに登録する際の処理に主に焦点を当てた機能ブロック図である。同図（ａ）に示すように、上記プリント情報受信部６ｃ１にモダリティ装置（例えば図１におけるＸ線ＣＴ装置２）から上記第２の医用画像データ、上記プリント情報と共にプリント要求が入力されると（Ａ）、上記プリント情報受信部６ｃ１は、モダリティ装置から送信されてきた上記第２の医用画像データとプリント要求を、上記プリント情報転送部６ｃ２に送信する。そして、上記プリント情報転送部６ｃ２は、上記第２の医用画像データとプリント要求とをプリンタ装置（不図示）へ転送する（Ｂ）。
【００２７】
さらに、上記プリント情報受信部６ｃ１は、モダリティ装置（例えば図１におけるＸ線ＣＴ装置２）から送信されてきた上記プリント情報を、上記プリント情報登録部６ｃ３へ送信する。そして、上記プリント情報登録部６ｃ３は、上記プリント情報を、上記プリント情報登録データベース６ｂに登録する。
【００２８】
図２（ｂ）は、上記プリント情報を検索する処理に焦点を当てた機能ブロック図である。同図（ｂ）に示すように、例えば、医師等がモダリティ装置において過去に作成した所望の第２の医用画像データの作成要求が入力されると（Ｃ）、上記プリント情報検索部６ｃ４は、上記プリント情報登録データベース６ｂの中から、上記所望の第２の医用画像データに対応するプリント情報を検索し、該プリント情報を参照して上記画像データベース６ａの中から所望の上記第２の医用画像データに対応する第１の医用画像データを検索する。
【００２９】
その後、上記プリントイメージ作成部６ｃ５が、上記プリント情報検索部６ｃ４の検索した上記プリント情報を参照して、上記第１の医用画像データに所定の画像処理を施すことで、上記所望の第２の医用画像データを作成する。
【００３０】
図３は、上記プリント情報の構成の一例を示す概念図である。同図に示すように、上記プリント情報登録データベース６ｂに登録される上記プリント情報とは、例えば上記ＤＩＣＯＭの方式によるデータであり、プリントセッション情報という一つの大きな括りのデータ中に、一つ又は複数のプリントボックス情報を有し、且つそれぞれの上記プリントボックス情報は、一つ又は複数の画像ボックス情報を持つ。すなわち、上記プリント情報は、上記プリントセッション情報を最上位として、上記プリントボックス情報、上記画像ボックス情報の順位による階層構造となっている。なお、上記の各情報は、それぞれの情報を作成するコマンド単位のデータとなっており、上記のようにまとめられて一つのプリント情報を形成している。
【００３１】
なお、上記ＤＩＣＯＭなど通信プロトコルに関わらず、上記プリント情報としては、例えば以下に記すような情報を含めさせることができる。すなわち、患者名、患者ＩＤ等の患者情報、検査日情報、プリントＵＩＤ（Ｕｎｉｑｕｅ  Ｉｄｅｎｔｉｆｉｅｒ  識別子）、検査ＵＩＤ、シリーズＵＩＤ、及び画像ＵＩＤ等である。そして、所望の第２の医用画像データを再現することは、上記のようなプリント情報を参照することで可能となる。また、上記ＤＩＣＯＭによらずに、例えばＰｏｓｔｓｃｒｉｐｔ形式等のページ記述言語で上記プリント情報を記述しても勿論よい。
【００３２】
以上説明した上記サーバ装置６内で行われるプリント要求の処理手順を、図４に示すフローチャートを参照して説明する。
【００３３】
まず、上記プリント情報受信部６ｃ１が、モダリティ装置（例えば図１における上記Ｘ線ＣＴ装置２）からのプリント要求を受信し、同時に上記第１の医用画像データ、上記第２の医用画像データ、及び上記プリント情報を受信する（ステップＳ１）。つづいて、上記プリント情報登録部６ｃ３が、上記プリント情報を、上記プリント情報登録データベース６ｂに登録する（ステップＳ２）。
【００３４】
その後、上記プリント情報転送部６ｃ２が、上記プリント情報及び上記第２の医用画像データを、上記プリンタ装置４に送信する（ステップＳ３）。上記プリンタ装置４が上記第２の医用画像データをフィルミング等した後、上記プリンタ装置４からのプリントした旨を示す信号を受信した上記プリント情報転送部６ｃ２は、該信号を、上記プリント情報受信部６ｃ１を介して、上記モダリティ装置へ送信する（ステップＳ４）。
【００３５】
図５は、上記プリント情報登録データベース６ｂからプリント情報を読み込んだ上記プリントイメージ作成部６ｃ５が、上記第２の医用画像データを作成する処理に焦点を当てた機能ブロック図である。
【００３６】
この処理においては、同図に示すように、上記プリントイメージ作成部６ｃ５が、上記プリント情報登録データベース６ｂから、例えばプリント情報１、プリント情報２、プリント情報３というように、所望数のＤＩＣＯＭデータやＰｏｓｔｓｃｒｉｐｔデータを読み込む。それらを参照して、上記プリントイメージ作成部６ｃ５が、上記画像データベース６ａに登録された上記第１の医用画像データを基に、所望の第２の医用画像データを作成する。
【００３７】
図６は、図５に示す機能ブロック図における処理のフローチャートである。
【００３８】
まず、上記プリント情報検索部６ｃ４が、上記プリント情報登録データベース６ｂから、所望の第２の医用画像データに対応するプリント情報を検索する（ステップＳ１１）。次に、上記ステップＳ１１にて検索した上記プリント情報を参照し、さらに上記画像データベース６ａに登録された上記第１の医用画像データを基に、所望の第２の医用画像データを作成する（ステップＳ１２）。
【００３９】
以上説明したように、本実施形態によれば、フィルミング等を行った上記第２の医用画像データを容易に再現可能であり、さらに、上記第２の医用画像データをセカンダリ等で他ビューア（遠隔地でも可能）に転送等をすることにより、複数のビューアにて同一の医用画像データを観察することもできる医用画像データ管理システム及び医用診断装置を提供することができる。
【００４０】
つまり、本実施形態に係る医用画像データ管理システム及び医用診断装置によれば、以前にプリントした上記第２の医用画像データと全く同一の医用画像データを、容易且つ迅速に再プリントすることが可能になる。
【００４１】
具体的には、図７に示すように、医師Ａが最初に作成し出力したフィルムと同一のフィルムを遠隔地にいる医師Ｂ及び医師Ｃも容易に出力し観察することが出来る。また、同図に示すように、ＤＩＣＯＭに規定されているＱｕｅｒｙ／Ｒｅｔｒｉｅｖｅ等の機能により、ＰＡＣＳ（Ｐｉｃｔｕｒｅ  Ａｒｃｈｉｖｉｎｇ＆Ｃｏｍｍｕｎｉｃａｔｉｏｎ  Ｓｙｓｔｅｍ）への、所望の医用画像データの自動送信も可能である。
【００４２】
また、上述したようにＤＩＣＯＭ規格により、上記画像データベース６ａへの医用画像データの登録を行った場合、所望の医用画像データにおけるレイアウトの変更等を容易に行うことが出来る。
【００４３】
以上、一実施形態に基づいて本発明を説明したが、本発明は上述した実施形態に限定されるものではなく、本発明の要旨の範囲内で種々の変形及び応用が可能なことは勿論である。
【００４４】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４５】
【図１】本発明の一実施形態に係る医用画像データ管理システムの構成概念図。
【図２】本発明の一実施形態に係る医用画像データ管理システムの機能ブロック図。
【図３】プリント情報登録部がプリント情報をプリント情報登録データベースに登録する処理に焦点を当てた機能ブロック図。
【図４】サーバ装置内で行われるプリント要求の処理手順示すフローチャート。
【図５】プリント情報登録データベースから読み込んだプリント情報を読み込んだプリントイメージ作成部が、第２の医用画像データを作成する処理に焦点を当てた機能ブロック図。
【図６】図５に示す機能ブロック図による処理を示すフローチャート。
【図７】本発明の一実施形態に係る医用画像データ管理システム及び医用診断装置の効果を示す図。
【符号の説明】
【００４６】
２…Ｘ線ＣＴ装置、  ４…プリンタ装置、  ６…サーバ装置、  ６ａ…画像データベース、  ６ｂ…プリント情報登録データベース、  ６ｃ…プリント要求処理部、  ６ｃ１…プリント情報受信部、  ６ｃ２…プリント情報転送部、  ６ｃ３…プリント情報登録部、  ６ｃ４…プリント情報検索部、  ６ｃ５…プリントイメージ作成部、  ６ｃ６…画像データ登録部、  ６ｂ…プリント登録データベース。
【図１】
2007215675.tif 000003
【図２】
2007215675.tif 000004
【図３】
2007215675.tif 000005
【図４】
2007215675.tif 000006
【図５】
2007215675.tif 000007
【図６】
2007215675.tif 000008
【図７】
2007215675.tif 000009